(57)【要約】【目的】本発明は、匂い立ちがよく、ある程度安定した泡沫が得られ、泡沫が消失もしくは香料が揮散した後の残物が少量でかつ固化するため使用後の残物を除去しやすいという残物の処理性に優れた泡沫状芳香剤用エアゾール組成物である。【構成】脂肪酸石鹸０．５〜５重量％、高級脂肪族アルコール、ノニオン性界面活性剤、水溶性増粘剤、高吸油性粉体、皮膜形成樹脂および香料を含有することを特徴とする泡沫状芳香剤用エアゾール組成物。【特許請求の範囲】
【請求項１】
脂肪酸石鹸０．５〜５重量％、高級脂肪族アルコール、ノニオン性界面活性剤、水溶性増粘剤、高吸油性粉体、皮膜形成樹脂および香料を含有することを特徴とする泡沫状芳香剤用エアゾール組成物
【請求項２】
高吸油性粉体が吸油量４０ｍｌ／１００ｇ以上である請求項１の泡沫状芳香剤用エアゾール組成物
【請求項３】
水溶性増粘剤がカルボキシビニルポリマーおよび高吸油性粉体がシリカである請求項１並びに請求項２の泡沫状芳香剤用エアゾール組成物
【請求項４】
カルボキシビニルポリマーの配合量が０．０１〜０．５重量％、シリカの配合量が０．１〜５重量％である請求項１乃至請求項３の泡沫状芳香剤用エアゾール組成物
【発明の詳細な説明】
【０００１】
【産業上の利用分野】本発明は匂い立ちがよく、かつある程度安定した泡沫が得られ、かつ泡沫が消失もしくは香料が揮散した後の残物が少量でかつ固化するため除去しやすいという残物の処理性に優れた泡沫状芳香剤用エアゾール組成物である。
【０００２】
【従来の技術】近年、アロマテラピーなど香りのブームにより多種多様な芳香剤が開発されている。代表的なものとしては、ゲル状の据え置き型芳香剤や、液状のスプレー式芳香剤であるが、ゲル状芳香剤は、匂いを発散する表面積が小さく匂い立ちが劣る。液状スプレー式の芳香剤は空気中に噴霧されそのために匂い立ちがよいが、揮散性が高いため匂いの持続性が劣る。
そのため、匂い立ちがよく、ある程度の香りの持続性を有する剤形として泡沫状の芳香剤が上げられる。泡沫状にすることにより、匂いを発散する表面積を大きくすることができ、かつその泡沫が消失するまでの匂いの持続性が期待できる。泡沫状整髪剤等通常の泡沫性エアゾール製品はその製品を使用する時間が短いため泡沫の安定性は重視されないが、目的とする芳香剤では泡沫が消失してしまうと匂いを発散する表面積が著しく減少してしまうため、１時間〜２日間程度の泡沫の安定持続性を要する。
【０００３】
【発明が解決しようとする課題】そのために、従来は比較的大量の脂肪酸石鹸およびノニオン性界面活性剤、高級脂肪族アルコールを配合した泡沫状芳香剤用エアゾール組成物（特許文献１参照）が開発されているが、これらは泡沫が消失する、もしくは香料が揮散した場合の残物が多く、また低揮発性の香料などが残り見た目に美しくない。このような泡沫状芳香剤は通常ガラス、陶器、磁器などの容器に噴出し、それを目的とする任意の場所に置いて使用する。泡沫が消失、もしくは香料が揮散した後、再度使用する場合、残物を容器より除去する必要がある。したがって、ある程度安定した泡沫が得られ、泡沫が消失、もしくは香料が揮散した後の残物が少量および除去しやすいことが望まれる。
【０００４】
【特許文献１】特開昭６３−２４９５６８
【０００５】
【課題を解決するための手段】本発明者等は、上記事項に鑑み、鋭意研究を重ねた結果、脂肪酸石鹸０．５〜５重量％、高級脂肪族アルコール、ノニオン性界面活性剤、水溶性増粘剤、高吸油性粉体、皮膜形成樹脂および香料を含有することを特徴とする泡沫状芳香剤用エアゾール組成物を発明した。
【０００６】以下、本発明の構成について詳述する。本発明の脂肪酸石鹸は特に限定しないが好ましくは炭素数１２〜２２の脂肪酸１種もしくは２種以上からなり、例えばこれを構成する脂肪酸としてミリスチン酸、パルミチン酸、ステアリン酸、イソステアリン酸などが挙げられ、その対イオンのアルカリ塩としてナトリウム塩、カリウム塩、トリエタノールアミン塩が挙げられる。そしてそれら１種もしくは２種以上を混合して使用してもよい。本発明での脂肪酸石鹸の配合量は０．５〜５重量％で、好ましくは１〜３重量％である。０．５重量％未満では、泡沫の安定性が十分ではなく、５％を超える配合量では残物が多い。
【０００７】ノニオン性界面活性剤は脂肪酸石鹸とともに泡沫形成、噴射剤の乳化等に用いる。ノニオン性界面活性剤としては例えばポリオキシエチレンアルキルエーテル、ポリオキシエチレン硬化ひまし油、ヤシ油脂肪酸ジエタノールアミド、グリセリンモノステアレートなどが挙げられる。配合量は特に限定しないが好ましくは１〜５重量％である。５重量％を超える配合量では残物が多い。
【０００８】高級脂肪族アルコールは脂肪酸石鹸とともに泡沫界面を強化し、泡沫を安定化する。好ましくは使用した脂肪酸と同じかもしくは近い炭素数を有するものが良い。配合量は特に限定しないが好ましくは０．２〜５重量％である。
【０００９】水性増粘剤としてはカルボキシビニルポリマー、ヒアルロン酸、カルボキシメチルセルロースなどが挙げられるが、これらは泡沫の安定性を高める。これらを配合することにより、脂肪酸石鹸の量を減らすことができるので、泡沫消失時の残物の量を減らすことができる。これらのうち好ましくは少量で高粘性が得られるカルボキシビニルポリマーで配合量は特に限定しないが、好ましくは０．０１〜０．５重量％である。さらに好ましくは０．０５〜０．３重量％である。０．０１重量％未満では泡沫安定化の効果が得られず、０．５重量％を越えると組成物の粘度が高く、噴射剤とともに容器に充填後の流動性に乏しいため、使用しにくい場合がある。
【００１０】高吸油性粉体とは、粉体の粒度を小さくしたり、表面の多孔質化により比表面積を増加させたり、カプセル化などの粒子形状により、吸油量を高めた粉体で、これらは泡沫消失時に残る低揮発性の香料を吸着し残物を固化する。これらの吸油量は好ましくは４０ｍｌ／１００ｇ以上、さらに好ましくは１００ｍｌ／１００ｇ以上である。高吸油性粉体として例えば、多孔質シリカ、微粒子シリカ、多孔質セルロース末、微粒子酸化チタン、炭酸マグネシウム、微粒子ナイロンパウダーなどが挙げられるが、好ましくは多孔質シリカ、微粒子シリカである。高吸油性シリカは吸油後にゲル化するために、少量で残物を固化しやすい。配合量は特に限定しないが、使用した香料の低揮発成分の量や使用する粉体の吸油量によって調整する。好ましくは０．１〜５重量％である。０．１重量％未満では効果が得られず、５重量％を越えると残物が多く、また組成物の粘度が高まり噴射剤とともに容器に充填後の流動性に乏しいため、使用しにくい場合がある。
【００１１】皮膜形成樹脂は泡沫消失時に残物を固化し、噴出した容器より除去しやすくする。皮膜形成樹脂は好ましくは水溶性もしくは水性基材に分散可能な樹脂で、乾燥時に皮膜を形成するもので、例えばポリ酢酸ビニル、ポリビニルピロリドン、ポリビニルアルコール、ポリアクリル酸エチル、ポリメタクリル酸エチル、ポリスチレン等およびそれらの共重合体が挙げられる。配合量は特に限定しないが、泡沫消失時の残物量によって調整する。
【００１２】香料は天然香料、合成香料あるいはそれらの混合物を指す。配合量は特に限定しないが、好ましくは０．５〜２０重量％である。０．５重量％未満では芳香剤としての機能的に十分ではなく、２０重量％を超える量では安定した泡沫を形成することが困難である。
【００１３】本発明の泡沫状芳香剤用組成物は上記必須成分の他に、任意の各種成分、例えば増粘剤、防腐剤、顔料、染料、粉体、ｐＨ調節剤、紫外線吸収剤、等を適宜配合することができる。
【００１４】本発明の泡沫状芳香剤用エアゾール組成物を泡沫化する際の噴射剤として、通常のエアゾールに使用する噴射剤、例えばプロパン、ブタンの混合物である液化ガス（Ｌ．Ｐ．Ｇ．）、イソペンタン、ジメチルエーテルが挙げられるが、それらを単独、もしくは混合して用いることができる。
【００１５】
【実験例】下記のような泡沫状芳香剤用組成物を調整し、評価した。評価方法として、泡の安定性、残物の除去しやすさの項目に関して以下のように評価した。
【００１６】
評価指標
泡沫の状態：エアゾール容器に噴射剤（Ｌ．Ｐ．Ｇ．）とともに試料を充填し、ガラス板の上に噴出し、泡沫の状態を観察した
◎：泡沫が細かく弾力（盛り上がり）がある
○：泡沫が形成され弾力（盛り上がり）がある
△：泡沫が形成される
×：泡沫が形成されない
泡沫の安定性：エアゾール容器に噴射剤（Ｌ．Ｐ．Ｇ．）とともに試料を充填し、ガラス製メスシリンダーに噴出し、８時間後、２４時間後の泡の量を判定し、泡の安定性を次の基準で評価した
◎：泡の量が８０〜１００％維持されている
○：泡の量が６０〜７９％維持されている
△：泡の量が４０〜５９％維持されている
×：泡の量が０〜３９％維持されている
残物の除去しやすさ：エアゾール容器に噴射剤（Ｌ．Ｐ．Ｇ．）とともに試料を充填し、ガラス板の上に噴出し、７２時間（泡沫消失）後、残物を除去する際の、残物の形状、ガラス板からのはがれ具合を次の基準で評価した
◎：残物が固化しており、容易にガラス板より除去することができた
○：残物が固化しており、容易にガラス板より除去できたが、少量の残物がガラス板に残った
△：残物が固化しているが、ガラス板より除去するのに手間がかかる
×：残物が固化していない
表１、２に示す組成物は各原料を加熱撹拌し、冷却することにより容易に調製することができる。
【００１７】
【表１】
2004154294.tif 000002
【００１８】
【表２】
2004154294.tif 000003
【００１９】
【実施例】次に下記のような泡沫状芳香剤用エアゾール組成物を調整し、評価した。本実施例に用いた高吸油性粉体の吸油量はＪＩＳ  Ｋ  ５１０５  顔料試験方法  吸油量の項目に準じて測定した。
【表３】
2004154294.tif 000004
【００２０】
【発明の効果】本発明は匂い立ちがよく、かつある程度安定した泡沫が得られ、かつ泡沫が消失もしくは香料が揮散した後の残物が少量および除去しやすいという残物の処理性に優れた泡沫状芳香剤用エアゾール組成物である。